【手続補正書】
【提出日】平成26年10月14日(2014.10.14)
【手続補正１】
【補正対象書類名】明細書
【補正対象項目名】００７９
【補正方法】変更
【補正の内容】
【００７９】
このように、低屈折率拡散体要素の実施形態が開示される。上記の実施及び他の実施は以下の請求項の範囲内である。本開示を、開示されたもの以外の実施形態によって実施することが可能な点は当業者には認識されるであろう。開示された実施形態は、説明を目的として提示されるものであって、限定を目的として提示されるものではなく、本開示は以下の「特許請求の範囲」によってのみ限定されるものである。本発明の実施形態の一部を以下の項目［１］−［３７］に記載する。
[１]
光学拡散体層であって、
結合剤と、
前記結合剤中に分散された複数の金属酸化物粒子と、
複数の相互接続された空隙と、
前記結合剤中に分散された複数のヘーズ生成粒子と、を含み、
前記光学拡散体層が１．３以下の有効屈折率を有する、光学拡散体層。
[２]
前記光学拡散体層は、前記金属酸化物がシリカ酸化物である場合には、１．２３以下の有効屈折率を、並びに前記金属酸化物がアルミナ酸化物である場合には１．３３以下の有効屈折率を有する、項目１に記載の光学拡散体層。
[３]
前記光学拡散体層が、少なくとも４０％の光学ヘーズを有する、項目１または２に記載の光学拡散体層。
[４]
前記光学拡散体層が、少なくとも６０％の光学ヘーズを有する、項目１または２に記載の光学拡散体層。
[５]
前記光学拡散体層が、少なくとも８０％の光学ヘーズを有する、項目１または２に記載の光学拡散体層。
[６]
前記ヘーズ生成粒子が、１マイクロメートル以上の平均の横方向寸法を有する、項目１〜５のいずれか一項に記載の光学拡散体層。
[７]
前記複数の金属酸化物粒子が、ヒュームドシリカ又はアルミナ酸化物を含む、項目１〜６のいずれか一項に記載の光学拡散体層。
[８]
前記光学拡散体層が、１〜２０マイクロメートルの範囲の厚さを有する、項目１〜７のいずれか一項に記載の光学拡散体層。
[９]
前記光学拡散体層中の前記複数の相互接続された空隙の容積分率が５０％以上である、項目１〜８のいずれか一項に記載の光学拡散体層。
[１０]
前記結合剤と前記複数の金属酸化物粒子の重量比が１：１以下である、項目１〜９のいずれか一項に記載の光学拡散体層。
[１１]
前記結合剤と前記複数の金属酸化物粒子の重量比が１：２以下の、項目１〜９のいずれか一項に記載の光学拡散体層。
[１２]
前記結合剤と前記複数の金属酸化物粒子の重量比が１：３以下である、項目１〜９のいずれか一項に記載の光学拡散体層。
[１３]
前記複数のヘーズ生成粒子が、１マイクロメートル〜１０マイクロメートルの範囲の平均の横方向寸法を有し、前記複数の金属酸化物粒子が、ヒュームド金属酸化物粒子を含む、項目１〜１２のいずれか一項に記載の光学拡散体層。
[１４]
前記複数のヘーズ生成粒子が、１マイクロメートル〜１０マイクロメートルの範囲の平均の横方向寸法を有し、前記複数の金属酸化物粒子が、５００ナノメートル以下の平均の横方向寸法を有する、項目１〜１２のいずれか一項に記載の光学拡散体層。
[１５]
前記複数のヘーズ生成粒子が、１マイクロメートル〜１０マイクロメートルの範囲の平均の横方向寸法を有するポリマー又は無機系ビーズを含む、項目１〜１４のいずれか一項に記載の光学拡散体層。
[１６]
前記光学拡散体層が、６０％未満の光学透明性を有する、項目１〜１５のいずれか一項に記載の光学拡散体層。
[１７]
前記光学拡散体層が、１５％未満の光学透明性を有する、項目１〜１５のいずれか一項に記載の光学拡散体層。
[１８]
光学物品であって、
光学要素と、
前記光学要素上に配設された光学拡散体層と、を含み、前記光学拡散体層が、
結合剤と、
前記結合剤中に分散された複数の金属酸化物粒子と、
複数の相互接続された空隙と、
前記結合剤中に分散された複数のヘーズ生成粒子と、を含み、
前記光学拡散体層が１．３以下の有効屈折率を有する、光学物品。
[１９]
前記光学拡散体層は、少なくとも４０％の光学ヘーズを有する、項目１８に記載の光学物品。
[２０]
前記光学拡散体層が、１．２以下の有効屈折率を有する、項目１８または１９に記載の光学物品。
[２１]
前記複数のヘーズ生成粒子が、１マイクロメートル以上の平均の横方向寸法を有する、項目１８〜２０のいずれか一項に記載の光学物品。
[２２]
前記複数の金属酸化物粒子が、ヒュームドシリカを含む、項目１８〜２１のいずれか一項に記載の光学物品。
[２３]
前記光学拡散体層が、１〜２０マイクロメートルの範囲の厚さを有する、項目１８〜２２のいずれか一項に記載の光学物品。
[２４]
前記光学拡散体層中の前記複数の相互接続された空隙の容積分率が５０％以上である、項目１８〜２３のいずれか一項に記載の光学物品。
[２５]
前記結合剤と前記複数の金属酸化物粒子の重量比が１：１以下である、項目１８〜２４のいずれか一項に記載の光学物品。
[２６]
前記光学要素が、偏光フィルム、拡散フィルム、反射フィルム、位相差フィルム、ライトガイド又は液晶ディスプレイパネルである、項目１８〜２５のいずれか一項に記載の光学物品。
[２７]
前記光学要素上に配設された低屈折率層を更に含み、前記光学要素が、前記光学拡散体層及び前記低屈折率層を分離し、前記低屈折率層が１．２以下の有効屈折率を有する、項目１８〜２６のいずれか一項に記載の光学物品。
[２８]
前記光学拡散体層上に配設された低屈折率層を更に含み、前記光学拡散体層が、前記低屈折率層及び前記光学要素を分離し、前記低屈折率層が１．２以下の有効屈折率を有する、項目１８〜２６のいずれか一項に記載の光学物品。
[２９]
前記光学物品を第２の光学要素に接着する光学用接着剤を更に含む、項目１８〜２８のいずれか一項に記載の光学物品。
[３０]
前記第２の光学要素が、ライトガイド又は液晶ディスプレイパネルである、項目２９に記載の光学物品。
[３１]
前記低屈折率層が、前記結合剤中に分散されたヘーズ生成粒子を含む、項目２７に記載の光学物品。
[３２]
前記低屈折率層が、前記結合剤中に分散されたヘーズ生成粒子を含む、項目２８に記載の光学物品。
[３３]
光学物品であって、
光学要素と、
前記光学要素上に配設された第１の低屈折率層であって、前記第１の低屈折率層は、
結合剤と、
前記結合剤中に分散された第１の平均の横方向寸法を有する複数の第１の金属酸化物粒子と、
複数の相互接続された空隙と、
前記結合剤中に分散された複数のヘーズ生成粒子と、を含み、
前記第１の低屈折率層が１．３以下の有効屈折率を有する、第１の低屈折率層と、
前記光学要素又は前記第１の低屈折率層上に配設された第２の低屈折率層であって、前記第２の低屈折率層は、
結合剤と、
前記結合剤中に分散された複数の第２の金属酸化物粒子と、
複数の相互接続された空隙と、を含み、
前記第２の低屈折率層が１．３以下の有効屈折率を有する、第２の低屈折率層と、を含む、光学物品。
[３４]
前記第１の低屈折率層が、少なくとも６０％の光学ヘーズを有し、前記第２の低屈折率層が、２０％未満の光学ヘーズを有する、項目３３に記載の光学物品。
[３５]
前記光学物品が、１．２３以下の有効屈折率を有する、項目３３または３４に記載の光学物品。
[３６]
前記第２の低屈折率層が前記光学要素上に配設され、及び前記光学要素が、前記第１の低屈折率層を前記第２の低屈折率層から分離する、項目３３〜３５のいずれか一項に記載の光学物品。
[３７]
前記第２の低屈折率層が前記第１の低屈折率層上に配設され、前記第１の低屈折率層が、前記第２の低屈折率層を前記光学要素から分離する、項目３３〜３６のいずれか一項に記載の光学物品。
【手続補正２】
【補正対象書類名】特許請求の範囲
【補正対象項目名】全文
【補正方法】変更
【補正の内容】
【特許請求の範囲】
【請求項１】
光学拡散体層であって、
結合剤と、
前記結合剤中に分散された複数の金属酸化物粒子と、
複数の相互接続された空隙と、
前記結合剤中に分散された複数のヘーズ生成粒子と、を含み、
前記光学拡散体層が１．３以下の有効屈折率を有する、光学拡散体層。
【請求項２】
光学物品であって、
光学要素と、
前記光学要素上に配設された光学拡散体層と、を含み、前記光学拡散体層が、
結合剤と、
前記結合剤中に分散された複数の金属酸化物粒子と、
複数の相互接続された空隙と、
前記結合剤中に分散された複数のヘーズ生成粒子と、を含み、
前記光学拡散体層が１．３以下の有効屈折率を有する、光学物品。
【請求項３】
光学物品であって、
光学要素と、
前記光学要素上に配設された第１の低屈折率層と、
前記光学要素又は前記第１の低屈折率層上に配設された第２の低屈折率層と、を含み、
前記第１の低屈折率層は、
結合剤と、
前記結合剤中に分散された第１の平均の横方向寸法を有する複数の第１の金属酸化物粒子と、
複数の相互接続された空隙と、
前記結合剤中に分散された複数のヘーズ生成粒子と、を含み、
前記第１の低屈折率層が１．３以下の有効屈折率を有し、
前記第２の低屈折率層は、
結合剤と、
前記結合剤中に分散された複数の第２の金属酸化物粒子と、
複数の相互接続された空隙と、を含み、
前記第２の低屈折率層が１．３以下の有効屈折率を有する、
光学物品。